(57)【特許請求の範囲】
【請求項１】
牛、豚の家畜排泄物（以下家畜糞と言う）の堆肥化装置を、保温槽内部に収納された発酵槽に装着されて、且つ、前記家畜糞の投入されたフレキシブルな発酵袋内で一次発酵し、且つ、該発酵袋搬出後外部熟成可能であって、
前記保温槽は、断熱材を用いた外壁下部位置に通気穴、及び、天井部に排気口を設け、且つ、前部開閉扉、若しくは、上部開閉蓋を設けて密閉可能に形成し、且つ、該内部に、通気性多孔板を周囲、及び、床面に用いた上部開放型発酵槽を設け、
該発酵槽は、該床面に垂直方向に突設する筒状、又は、隔壁状の通気可能な通気塔を有し、及び、胴部周囲上部に気密板を設けて形成し、該発酵槽を前記保温槽内に、周囲、及び、底部に空隙部を設けて固定、又は、着脱可能に収納し、且つ、前記発酵袋は、通気性可撓シート（以下シートと言う）を用いて縦型筒状の胴部外部に吊り手を設けられる家畜排泄物堆肥化装置において、
前記家畜糞は、発酵袋の内部で発熱により摂氏７０℃で一次発酵し、
前記発酵袋は、該底部に前記通気塔嵌合用のポケットを設けて前記発酵槽に装着可能に、且つ、前記家畜糞上部投入可能に形成し、
前記発酵槽上部外周部と前記保温槽内壁面間の空隙部を封止（以下シールと言う）可能に形成し、前記発酵袋を搬出入可能に構成された家畜排泄物堆肥化装置。
【請求項２】
前記家畜糞堆肥化装置に於ける発酵袋を、該縦型筒状胴部の対面するシート間に橋絡する垂直方向の中空保持可能な通気隔壁、又は、該胴部内に下部吸入口付き通気筒を懸垂可能に初期形成し、該発酵袋を、上部周囲に気密板の設けられた外部フレーム付き平面多孔パレット上に装着脱して前記家畜糞上部投入可能に形成し、且つ、前記保温槽内に周囲に空隙部を設けて収納、且つ、搬出入可能に形成し、且つ、前記外部フレーム上部外周部と前記保温槽内壁面間の空隙部をシール可能に構成された請求項１記載の家畜排泄物堆肥化装置。
【請求項３】
前記家畜糞発酵装置に於いて、前記発酵袋、又は、パレット式発酵槽内への前記家畜糞の投入をスクリューコンベヤーを用いて行い、且つ、該スクリューコンベヤーの回転基部投入口に、前記家畜糞、及び、水分調整（以下調湿と言う）材投入用ホッパーを組み立て形成し、且つ、前記家畜糞を前記スクリューコンベヤーの基部投入口上部から、且つ、前記調湿材を同底部側部位置に供給口を設けて自重投入、且つ、巻き込み可能に形成し、両者が回転搬送時に調湿可能に構成された請求項１又は２に記載の家畜排泄物堆肥化装置。
【請求項４】
前記家畜糞発酵装置に於ける家畜糞、及び、調湿材回転混合用スクリューコンベヤーを、該スクリューコンベヤー底面にガス、又は、電熱、或いは、スチームの加熱手段を講じて加熱し、回転搬送時に前記家畜糞の調湿可能に構成された請求項１又は２に記載の家畜排泄物堆肥化装置。
【発明の詳細な説明】
【０００１】
【発明の属する技術分野】
家畜糞堆肥化の為の一次発酵装置と外部熟成方法に関する。
【０００２】
【従来の技術】
従来、牛、豚等の家畜糞の堆肥化は各酪農家による独自作業、又は、共同堆肥化設備に負うところ大であった。しかし、先般、家畜糞管理の適正化法案の施行により基準頭数以上の場合の専用施設の設置義務が求められている時、対応する技術開発の中で、特願昭６１−１５３４４８等にみられる如き、主に、鋼製の縦型内部特殊機構の１０００リットルクラスの２４時間型ユニット型発酵装置等もあるが、この装置は内部投入された家畜糞の発酵後、装備された機械的手段によって毎回転倒して排出し、これを専用熟成場に所定期間寝かせて堆肥化を行う必要があり、且つ、大規模頭数経営の場合、高価格な前記ユニット型発酵装置を必要処理能力数調達のための資金を要する為、装置自身のコスト、及び、投入物の搬出作業、及び、その後の熟成方法等に改善が求められていた。
【０００３】
【発明が解決しようとする課題】
家畜糞処理に関する新法律の施行によって基準頭数以上飼育の場合の規格堆肥化施設の設置義務が求められて壊滅的な打撃を被りかねない酪農家を対象として、ユニット型の短時間発酵型堆肥化装置の低コスト化と作業性を追求して各酪農家の設備負担の大幅軽減と作業性の向上を図り、更には、関係自治体の施設設置負担軽減をも可能とする家畜排泄物堆肥化装置とシステムの提供を目的とする。
【０００４】
【課題を解決するための手段】
本発明の家畜排泄物堆肥化装置は前記課題を解決するため、断熱性を有する保温槽を設けて、この保温槽内部に、主に、５００リットル、乃至、１０００リットルクラスの消耗品としての家畜糞投入用のフレキシブルな発酵袋の装着脱可能な発酵槽を収納して家畜糞の内部発熱により一次発酵させ、次に、この発酵袋を外部移動して熟成して堆肥化する装置とシステムに関するもので、斯かる本発明の保温槽は、断熱保温材を用いた、外壁部下部位置に所定口径の通気穴、及び、天井部に排気口を設け、かつ、前部に開閉扉、又は、上部に開閉蓋を密閉可能に設けて形成し、かつ、前記発酵槽は、多孔板等の通気板を用い、かつ、周囲側板上部所定巾に気密板の配置された上部開放型容器として設け、かつ、底面に垂直方向に突設する筒状、又は、隔壁状の通気可能な通気塔を設けて前記保温槽内に固定、若しくは、着脱可能に、かつ、保温槽の内壁面、及び、下部に空隙部を設けて収納し、かつ、前記発酵袋は、通気性シートを用いた縦型の筒状胴部を上部方向に延長形成して、この端部を結束、又は、折り畳んで蓋形式に、下部を同様に、又は、成型して底部形成し、かつ、この底部に前記通気塔に嵌合可能なポケットを胴部内に設けて前記発酵槽に装着し、既に水分調整された家畜糞をスクリューコンベヤー等を用いて投入し、これを上部蓋後保温槽内に収納し、かつ、この発酵槽上部周囲と保温槽内壁面間の空隙部をシール部材を用いてシールし、内部発熱により摂氏７０°前後に上げて約２４時間前後で一次発酵を可能とし、この一次発酵した家畜糞を発酵袋のまま堆肥盤シート等の所定の保管場所で一定期間熟成させて良質の堆肥作りを可能とするシステムである。従って、このように形成された発酵堆肥化装置は、初期調湿された家畜糞が発酵袋内に投入されて保温槽内に収納されることにより内部で自己発熱が促進されて保温槽内が高熱化し、上部排気口から高温空気が排出されると同時に、外壁部下部位置に配置された通気口から適量の空気が補給されて、これが保温槽内壁と発酵槽周囲上部の空隙部がシールされている為発酵槽と発酵袋の胴、底部周囲から内部を通過して発酵を均一に、かつ、加速することを可能にしている。尚、発酵袋胴部上部に所定巾の気密シートを設けて発酵槽の気密板と代替、若しくは、併用することも出来る。発酵槽は床部にも空隙部が設けられている。かつ、本発明は、保温槽内への発酵槽の収納をフォークリフト等により移動可能な着脱式に設けて外部で発酵袋に家畜糞を投入し、保温槽の前部開閉扉部より搬出入可能に設けて発酵中に次の投入準備を可能としている。或いは、上部開閉蓋を開けて発酵袋を装着脱し、且つ、吊り手を用いて機械的手段により出し入れ可能に形成することも出来る。尚、前記通気塔の設けられた発酵槽の周囲側板を気密板付き外部フレーム構造のパレット式として設けて前記発酵袋を装着することも出来る。又、周囲間隙部のシールは、発酵槽を内部に固定の場合には接合シール方法が望ましく、着脱式の場合には発酵槽を収納した時、装着されたシールパッキング等によって両者が周囲圧着シール可能な機構に形成することが出来る。又は、発酵袋の肩部周囲と内壁面にエプロン等を用いたシール機構を設けることも出来る。尚、前記発酵袋の���部投入物の排出は吊り手で吊った状態で底部を開放、又は、切開するか、或いは、ダンブカーに吊り手を懸けて底部を開放して傾斜排出を行うことも出来る。又、本発明の発酵袋の胴部内袋部の天井部と上部開閉口部に連結手段を講じ、且つ、袋部内部に吊り手を設けて天地可能に成型して内部の家畜糞を上下して切り返し可能に設けることも出来る。
【０００５】
又、本発明は上記発酵袋を、縦型胴部の対面するシート間に橋絡する垂直方向の、内部に所定厚の波板、若しくは、多孔材等を内蔵して中空保持可能な通気隔壁を所定高に設けて横、又は、底部より吸入して内部に通気可能に、又は、下部に吸入口付きの通気筒を周囲胴部によって懸垂可能に初期形成して家畜糞投入可能に形成し、かつ、この発酵袋を、多孔面板上に外部フレームを設置した平面パレットに装着して保温槽内に、周囲に空隙部を設け、かつ、シール可能に装着して一次発酵可能な通気隔壁内蔵型発酵袋を形成することも出来る。尚、この発酵袋の胴部上部所定巾に気密シート、又は、前記外部フレームの上部周状所定巾に気密板が少なくとも一方に設けられている。又、前記各通気隔壁、或いは、通気筒を別成型して設け、発酵袋胴部内壁部にフック、或いは、面シールファスナー等の接合部材を用いて取り付けて形成することも出来る。
【０００６】
又、本発明は、前記堆肥化装置に於ける断熱保温槽内部に搬出入可能なパレット式発酵槽に家畜糞を直に投入して収納可能に設けたことを特徴とし、この発酵槽は、フオークリフト差し込み用パレットの面板、及び、周囲側板を通気性の多孔板を用いた箱型の上部開放型容器として設け、かつ、この周囲側板の少なくとも１面に排出用扉を開閉可能に設け、かつ、前記面板の上面に垂直方向に突設する所定高の内部中空の通気塔を筒状、又は、隔壁状に設けて家畜糞を上部投入し、かつ、保温槽内壁部との空隙部にシール可能な機構を設けて保温槽内に前部扉より出し入れ可能に構成された家畜糞直投入式発酵槽をパレット式に形成することが出来る。尚、前記周囲側板上部所定巾に気密板が設けられている。このパレット式発酵槽は前記発酵袋を使用しないで設置された堆肥舎に移動して排出後完熟させる方式の為、ランニングコスト上のメリットがある。かつ、この発酵槽をダンプカーに搭載して固定し、開閉扉を開けて傾斜排出することも出来る。
【０００７】
又、本発明は、前記堆肥化装置に於ける家畜糞の前記発酵袋、又は、パレット式発酵槽内への投入をスクリューコンベヤーを用いて行い、かつ、このスクリューコンベヤーの回転軸基部の投入口に、特に、牛糞の場合、おが屑、又は、籾殻等の調湿材を所定量混合することが望ましいとされている為、両者混合投入用のホッパーを組み立て形成し、家畜糞用のホッパーの供給口をスクリューコンベヤーの投入口の上面部に設け、かつ、調湿材の供給口をスクリューコンベヤー基部の底部側部位置に所定口径に設けてそれぞれを自重投入可能に形成し、この場合、家畜糞が回転搬送開始された下部側部から調湿材が巻き込まれて搬送時に両者が充分混合可能に構成された省力化可能な調湿材混合用家畜糞投入装置を形成している。尚、前記それぞれの投入量は調整可能な構造に設けられている。
【０００８】
又、本発明は、前記堆肥化装置に於ける家畜糞投入用スクリューコンベヤーを、調湿材を用いずに、このスクリューコンベヤー底面にガス、又は、電熱、又は、スチーム等の外部加熱手段を講じて底板を加熱し、回転搬送時水分を蒸発させながら発酵適正湿度に調湿可能に形成することも出来る。尚、本調湿装置は上部カバーを設けて強制送風、又は、吸引手段を併用するとなお効果的である。
【０００９】
従って、本発明の家畜糞堆肥化装置が以上の如く形成されているため、断熱保温材を用いた保温槽内に収納された家畜糞が発酵槽と発酵袋自身の内部通気構造によってほぼ２４時間で一次発酵を可能にすると同時に、このように一次発酵した発酵袋を装着したパレットをフォークリフトを用いて、又は、発酵袋の吊り手をチェーンブロック等によって容易に搬出可能に設け、これを所定の場所に堆肥盤シート等を敷いて一定期間積み置きして継続発酵させて良質の堆肥を醸成し、更に、この発酵袋ごと目的地に搬送可能な極めて簡易な装置とシステムとして構成されている。或いは、任意に所定の場所に移動して発酵袋から排出して塾成させることも出来る。又、この発酵袋下部口部を結束した紐を解いて下部を開放して内部投入物を任意に排出出来る為各酪農家のニーズに応じて作業方法を選択出来、かつ、この発酵袋は使い捨て、若しくは、数回の繰り返し利用も可能としている。又は、パレット式発酵槽を用いて同様に熟成することが出来る。従って、各酪農家は飼育頭数規模に合わせてこの装置を設置すれば良く、かつ、簡易で格安な保温槽と、月々の経費処理可能な発酵袋の利用によって堆肥化が可能な為、規格堆肥舎設置の為の大掛かりな投資を不要として酪農家への貢献が可能と同時に、家畜糞の発生元処理を可能とする為公共の施設を不要とし、関係自治体の抱える問題解決をも可能とする大変優れたシステムである。又、本発明は調湿材配合可能なスクリューコンベヤー装置、更には、調湿材不要の調湿用スクリューコンベヤーを用いて家畜糞の堆肥化装置の充実が図られている。
【００１０】
【発明の実施の形態】
本発明による牛、豚等の家畜糞堆肥化装置を図面で説明すると、図１に示す通り、畜舎１から排出された家畜糞２をスクリューコンベヤー３等を用いて着脱式発酵槽４に装着された発酵袋５内に投入し、これを保温槽６に密閉収納してほぼ２４時間の一次発酵後、堆肥盤シート７等の敷かれた熟成場に横持ちして一定期間積み置いて熟成させて堆肥化を可能とする装置とシステムであって、図２の如く、保温槽６は断熱材８と枠体９からなる外壁１０、及び、排気口１１付き上部屋根１２と前部開閉扉１３を設け、且つ、外壁部下部位置に所定径の吸入用通気穴１４を設けて形成され、発酵槽４は通気性多孔板１５を周囲側板４Ａ、及び、床面４Ｂに用い、且つ、側板周囲上部に所定巾の気密板１６を配置したパレット状に形成し、かつ、床面から垂直方向所定高の、かつ、所定径の下部口部１７Ａより吸入可能な中空の通気塔１７を設け、これを保温槽６内に胴部周囲空隙部Ａ、及び、下部空隙部Ｂを設けて収納可能に形成し、一方、発酵袋５は通気性のシート１８を用いた縦型の胴部５Ａを上下に延長形成して上部端部５Ｂを結束紐１９で結束、又は、蓋可能に設け、下部端部を同様に、又は、底部２０形成し、かつ、この底部の発酵袋５胴部内に前記通気塔嵌合用のポケット２１を設け、かつ、外部に吊り手２２を設けて形成し、これを発酵槽４に装着して家畜糞の上部投入、及び、蓋後、フォーリフト等を用いて保温層内に収納し、この時、図４の如く、周囲空隙部Ａを発酵槽側板４Ａの横、及び、奥部３面に用いた水平所定高の型鋼等のフランジ２３下面と前面の気密板１６に固定装着されたシールパッキング２４を保温槽内壁のシール受け２５によって上下方向に、かつ、開閉扉１３内面によって水平方向に圧着して４方シール可能なシール機構を形成し、内部発熱が始まって発酵が促進し、高熱化した保温層内の空気が排気口１１から排出されると同時に、通気穴１４から適量の外気が補給され、この補給された外気が周囲空隙部Ａ、及び、底部空隙部Ｂ、及び、通気塔１７内から均等に発酵袋５内部を経て上部に抜けることにより発酵をより促進させ、発酵温度を摂氏７０度前後に高めて一次発酵を可能にしている。従って、発酵槽４の上部周囲の気密板１６部と周囲シール機構が吸入された空気を発酵槽４と発酵袋５内部を通過するように形成している。尚、発酵袋５胴部上部に気密シート５Ｃを設けて前記気密板１６と代替、若しくは、併用しても良い。尚、図示していないが前記空隙部Ａのシールはエアーを用いたインフレート式、或いは、成型シール部材の嵌め込みも可能で、かつ、発酵袋上部肩部と保温槽内壁部に気密シートをエプロン状等に設けてシール機構を形成することも出来る。尚、前記通気塔１７は胴部横断の隔壁状に設けることも出来る。かつ、図示していないが前記通気塔の設けられたパレット式発酵槽周囲側板を気密板１６付き外部フレーム構造に設けて発酵袋を装着することも出来る。この場合も気密板１６と気密シート５Ｃを代替、若しくは、併用することが出来る。以上の如く発酵槽を搬出入可能な着脱式に設けることによって発酵中に次の投入準備をしておくことが出来る。又、本発明は、図示していないが発酵槽４を保温槽６内部に固定配置構造として上部周辺部をシール部材を接合してシールすることが出来る。又、保温槽６、及び、発酵槽４を丸型にも形成出来、かつ、床部を嵩上げして空気層を設けて発酵袋を直置き装着して屋根蓋を開閉して投入、及び、搬出入可能に設けることも出来る。この様な簡易な装置とシステムで醸成された堆肥は発酵袋のまま吊り手２２をチェーンブロック、又は、フォークリフト等で吊ってトラックに積載して目的地で下部結束紐１９を解いて、又は、底部を切開して、或いは、吊り手をダンブカー前部背部に懸けて底部を開放して傾斜排出することも可能である。又、本発明は、図５の如く発酵袋５内のポケット２１天井部と同上部端部５Ｂ結束部に両端封止のパイプ、又は、ロープ等の連結部材２６をグリップ部２６Ａのずれ防止手段を設けて装着し、かつ、ポケット２１内部に吊り手２２Ａを設けて形成し、一次発酵後の外部熟成期間に発酵袋５を内部吊り手２２Ａを吊って上下を天地して内部の熟成中の家畜糞を発酵袋５内で落下させて内部切り返しを繰返えし行って熟成をより加速させ、かつ、均一熟成化することも出来る。
【００１１】
或いは、前記発酵袋は第２の実施態様として図５の如く、縦型筒状胴部の対面するシート間に橋絡する垂直方向の内部に波板２７、若しくは、多孔材等を内蔵して中空保持可能な所定厚の通気隔壁２８を所定高に設けて初期形成し、横、又は、底部の断面より吸入して通気可能な発酵袋２９を設けて家畜糞の上部投入可能に形成し、この発酵袋を図７の床面３０Ａの多孔板１５上に外部フレーム３０Ｂを設置し、かつ、周囲上部所定巾に気密板１６の設けられた平面パレット３０に装着して保温槽６内に収納し、周囲の空隙部Ａ上部を前記の如くシールして通気隔壁内蔵型発酵袋２９を収納可能に形成することも出来る。尚、この発酵袋の胴部上部所定巾に気密シート２９Ｄを設けて外部フレームの気密板１６と代替、若しくは、併用することも出来る。また、図示していないがこの発酵袋２９内に下部吸入口付きの通気筒を周囲胴部によって懸垂可能に設けることも出来る。又、前記各通気塔を別成型して設け、発酵袋胴部内壁部にフック、或いは、面シールファスナー等の接合部材を用いて取り付けて形成することも出来る。
【００１２】
又、本発明は、第３の実施態様として図８に示す如く、保温槽６内部に搬出入可能なパレット式発酵槽３１を家畜糞２の直接投入方式として設け、フオークリフト差し込み用パレットの床板３１Ａと周囲側板３１Ｂを通気性の多孔板を用い、上部周囲所定巾に気密板１６を配した箱型の上部開放型容器として設け、かつ、この１面に排出用開閉扉３１Ｃを設け、かつ、面板３１Ａ上面に突設する所定高の隔壁状通気塔１７、又は、これを筒状に設けて家畜糞を投入し、保温槽６内壁部との空隙部Ａを前記同様シール機構を設けて保温槽内に出し入れ可能に構成された家畜糞直投入式発酵槽３１をパレット式に形成することが出来る。このパレット式発酵槽は前記発酵袋５、２９を使用しないで設置された堆肥舎に移動して排出後完熟させる方式の為、ランニングコスト上のメリットがある。尚、このパレット式発酵槽はダンプカーに固定搭載して目的地で開閉扉３１Ｃを開けて傾斜排出することも出来る。
【００１３】
又、本発明は、第４の実施態様として図９に示す如く、前記堆肥化装置に於ける家畜糞の発酵袋５，２９、又は、パレット式発酵槽３１内への投入をスクリューコンベヤー３を用いて行い、かつ、このスクリューコンベヤーの回転軸基部の投入口３Ａに、特に、牛糞の場合、おが屑、又は、籾殻等の調湿材３２を所定量混合することが望ましいとされている為、両者混合投入用のホッパーを組み立て形成し、家畜糞用のホッパー３３の供給口をスクリューコンベヤーの投入口３Ａの上面部に設け、かつ、調湿材のホッパー３４供給口３４Ａを底部側部３Ｂ位置に所定口径に設けてそれぞれを自重投入可能に形成し、この場合、家畜糞が回転搬送開始された下部側部から調湿材が巻き込まれて搬送時に両者が充分混合可能に構成された省力化可能な調湿材混合用家畜糞投入装置３５を形成している。尚、前記それぞれの投入口に調整弁３６が設けられている。
【００１４】
又、本発明は、第５実施態様として図１０に示す如く、前記堆肥化装置に於ける家畜糞投入用スクリューコンベヤー３を、調湿材を用いずに、このスクリューコンベヤー底面にガスバーナー３７、又は、電熱、又は、スチーム等の外部加熱手段を講じて本体底板３Ｃを加熱し、回転搬送時水分を蒸発させながら発酵適正湿度に調湿可能な加熱式調湿装置３８を形成することも出来る。尚、図示していないが本調湿装置は上部カバーを設けて強制送風、又は、吸引手段を併用し、且つ、脱臭装置を設けるとなお効果的である。
【発明の効果】
上記の如く構成された本発明による家畜排泄物堆肥化装置は、家畜糞に関する新法律の施行によって基準頭数以上飼育の場合の大掛かりな規格堆肥化設備の設置義務が求められて壊滅的な打撃を被りかねない酪農家を対象とし、発酵装置システムを保温槽内に５００乃至１０００リットルクラスのユニット型の発酵、及び、熟成可能な経済的通気構造の吊り手付き発酵袋、又は、パレット式発酵槽を収納して一次発酵を可能とし、且つ、外部熟成して堆肥化可能に、又、同時に調湿装置をシステムとして併せ提供することによって以下の如き大きな効果が期待出来る。
▲１▼酪農家の規模に合わせて導入可能な簡易な上記発酵装置は、高規格施設設置に比べ設備資金が大幅に少なくて済む。
▲２▼且つ、家畜糞の発生元処理が可能となるため、行政側に於いても莫大な用地取得費や設備費、及び、運転維持費が全く不要となるのみならず、地域環境を破壊する危惧無く対策を講ずることが出来る。
▲３▼既存のユニット型発酵装置と比べても大幅な低コストで設置出来る。
▲４▼且つ、上記と同等の発酵性能を有すると同時に、搬出入、及び、横持ちをフォークリフト、及び、ダンプカー等を用いて大変楽に行うことが出来る。
▲５▼又、一次発酵の家畜糞を発酵袋内で堆肥盤シート等に外積み置きして熟成することも出来る。
▲６▼保温槽内で一次発酵中に、次の発酵袋への投入作業を完了しておくことが出来る。
▲７▼且つ、この発酵袋を使い捨ての消耗品として低コストで提供し、或いは、繰り返し利用可能に設けて、更に経済性を高めることが出来る。
▲８▼パレット式発酵槽を用いてランニングコストの低減を図ることも出来る。
▲９▼家畜糞と調湿材の混合をスクリューコンベヤーにホッパーを組み立て形成して半自動的に行うことが出来る。
▲１０▼スクリューコンベヤーの底板を加熱して調湿材を用いずに調湿が可能である。
【図面の簡単な説明】
【図１】本発明の家畜糞堆肥化装置の全体フロー図。
【図２】同上前部扉付き保温槽内に、発酵袋が装着された発酵槽が収納された様子を示す一部切欠の正面図で、片側は発酵槽の断面を示す。。
【図３】本発明の底部に突設する通気塔の設けられた発酵槽に発酵袋を装着した様子を示す前部切欠の正面図で片側は断面を示す図。
【図４】保温槽内壁と発酵槽の周囲空隙部のシール機構を示す部分断面図。
【図５】前記発酵袋内に連結部材を用いて上下連結し、天地して内部切り返し可能に構成された様子を示す正面断面図。
【図６】胴部に通気隔壁が初期成型して設けられた発酵袋の一部切欠の斜視全体図。
【図７】上記発酵袋装着用外部フレーム付きパレットの一部切欠の斜視全体図。
【図８】内部に隔壁状通気塔が突設配置されて直投入用パレット式発酵槽の一部切欠の斜視全体図。
【図９】家畜糞投入用スクリューコンベヤーに家畜糞用ホッパーを投入口上部から、調湿用ホッパーを同底部側部から投入可能に設けた調湿装置の断面組み立て構成図。
【図１０】同スクリューコンベヤー底板部に加熱手段の設けられた様子を示す調湿装置の正面構成図。
【符号の説明】
１；畜舎                    ２；家畜糞          ３；スクリューコンベヤー
３Ａ；同投入口              ３Ｂ；同底部側部    ３Ｃ；本体底板
４；着脱通気塔式発酵槽      ４Ａ；発酵槽の周囲側板    ４Ｂ；同床面
５；通気塔嵌合用発酵袋      ５Ａ；胴部            ５Ｂ；上部端部
５Ｃ；同気密シート            ６；保温槽          ６ａ；ガスケツト
７；堆肥盤シート            ８；断熱材            ９；枠体
１０；外壁                  １１；排気口          １２；屋根
１３；保温槽開閉扉        １４；通気口            １５；多孔板
１６；気密板              １７；通気塔          １７Ａ；同下部口部
１８；通気シート          １９；結束紐            ２０；発酵袋底部
２１；ポケット            ２２；吊り手          ２２Ａ；内部吊り手
２３；フランジ            ２４；シールパッキン  グ２５；シール受け
２６；連結部材          ２６Ａ；同グリップ部      ２７；波板
２８；通気隔壁      ２９；通気隔壁内蔵型発酵袋  ２９Ａ；同胴部
２９Ｂ；同上部端部      ２９Ｃ；同下部端部        ２９Ｄ；同気密シート
３０；外部フレーム式平面パレット  ３０Ａ；同床面  ３０Ｂ；同外部フレーム
３１；パレット式直投入用発酵槽    ３１Ａ；同床板  ３１Ｂ；同側板
３１Ｃ；同開閉扉          ３２；調湿材            ３３；家畜糞用ホッパー
３４；調湿材用ホッパー  ３４Ａ；同供給口          ３５；混合用投入装置
３６；調整弁              ３７；ガスバーナー      ３８；加熱式混合スクリーコンベヤー              ３９；ガスボンベ        ４０；ゲージ
４１；ヒンジ              ４２；ファスナー
Ａ；周囲空隙部            Ｂ；底部空隙部
【図１】
0004282306.tif 000002
【図２】
0004282306.tif 000003
【図３】
0004282306.tif 000004
【図４】
0004282306.tif 000005
【図５】
0004282306.tif 000006
【図６】
0004282306.tif 000007
【図７】
0004282306.tif 000008
【図８】
0004282306.tif 000009
【図９】
0004282306.tif 000010
【図１０】
0004282306.tif 000011